【手続補正書】
【提出日】平成21年11月18日(2009.11.18)
【手続補正１】
【補正対象書類名】特許請求の範囲
【補正対象項目名】全文
【補正方法】変更
【補正の内容】
【特許請求の範囲】
【請求項１】
好ましくは低粘性のガラス溶融物（１）と、該溶融物（１）と接触する雰囲気（６ａ）とを受容する空間を規定し、かつ少なくとも１つの供給路（３ａ）及び／又は少なくとも１つの排出路（３ｂ）を有する装置（２）であって該溶融物（１）が側方から該供給路（３ａ）を通って該装置（２）に入る装置中における該溶融物（１）の清澄、特に連続的清澄のための方法であって、該装置（２）及び／又は該供給路（３ａ）及び／又は該排出路（３ｂ）の溶融物接触表面（１４ａ）を少なくとも部分的に含む少なくとも１つの区画（２０）がイリジウムを含んでおり、少なくとも該装置（２）及び／又は該供給路（３ａ）及び／又は該排出路（３ｂ）の該イリジウム含有区画（２０）を少なくとも局所的に加熱すること、及び該イリジウム含有区画（２０）が、約５０重量％〜約１００重量％、好ましくは約９０重量％〜約１００重量％、特に好ましくは約９９重量％より大きく１００重量％までのイリジウム含有量を有していることを特徴とする方法。
【請求項２】
前記イリジウム含有区画（２０）を、通電加熱且つ／又は誘導加熱する請求項１に記載の方法。
【請求項３】
少なくとも１つの小領域内の前記溶融物（１）の温度が、約８００℃〜約２０００℃、好ましくは約１０００℃〜約１８００℃、特に好ましくは約１２５０℃〜約１６００℃に加熱される請求項１又は２に記載の方法。
【請求項４】
前記イリジウム含有区画（２０）のうちの少なくとも溶融物接触表面（１４ａ）を有していない領域が、少なくとも１つの封止体（１０）を備えている請求項１〜３のいずれか一項に記載の方法。
【請求項５】
前記封止体（１０）が所定雰囲気（６）を用いて設けられている請求項４に記載の方法。
【請求項６】
前記所定雰囲気（６）が、前記装置（２）によって規定された空間に付与され、且つ／又は前記イリジウム含有区画（２０）の前記溶融物とは反対側（１４ｂ）によって少なくとも局所的に区画された空間に付与された雰囲気（６ａ）に実質的に相当する請求項１〜５のいずれか一項に記載の方法。
【請求項７】
前記所定雰囲気（６、６ａ）が減じられた圧力として付与される請求項５又は６に記載の方法。
【請求項８】
前記所定雰囲気（６、６ａ）が流体、好ましくは気体としての流体を用いて付与され、及び／又は前記流体が、好ましくは、少なくとも空気に比べて減じられた酸化効果を有する気体として付与され、及び／又は前記所定雰囲気（６、６ａ）が、遮蔽ガスとして、特に希ガス、好ましくアルゴン、ヘリウム、形成ガス９５／５、形成ガス９５／１０、二酸化炭素、一酸化炭素、窒素として、且つ／又は上記気体の少なくとも２種を含む気体として提供される請求項５又は６に記載の方法。
【請求項９】
前記装置（２）及び／又は前記供給路（３ａ）及び／又は前記排出路（３ｂ）が少なくとも局所的に加熱される請求項１〜８のいずれか一項に記載の方法。
【請求項１０】
前記装置（２）、特に前記底面（１９）及び／若しくは前記蓋（１７）及び／若しくは前記側壁（１８）、並びに／又は前記供給路（３ａ）及び／若しくは前記排出路（３ｂ）が、特にスカルクラスト（２３）が形成されるように、少なくとも局所的に冷却される請求項１〜９のいずれか一項に記載の方法。
【請求項１１】
好ましくは低粘性ガラスの溶融物（１）と、該溶融物（１）と接触する雰囲気（６ａ）とを受容する空間を規定し、かつ少なくとも１つの供給路（３ａ）及び／又は少なくとも１つの排出路（３ｂ）を有する装置（２）であって該溶融物（１）が側方から該供給路（３ａ）を通って該装置（２）に入る装置における、該溶融物（１）の清澄、特に連続的清澄のための、特に請求項１〜１０のいずれか一項に記載の方法を実施するための装置であって、前記装置（２）及び／又は前記供給路（３ａ）及び／又は前記排出路（３ｂ）の少なくとも部分的に溶融物接触表面（１４ａ）を有する少なくとも１つの区画（２０）がイリジウムを含んでおり、前記イリジウム含有区画（２０）が、約５０重量％〜約１００重量％、好ましくは約９０重量％〜約１００重量％、特に好ましくは約９９重量％より大きく１００重量％までのイリジウム含有量を有していることを特徴とする装置。
【請求項１２】
前記イリジウム含有区画（２０）が、少なくとも白金、ロジウム、パラジウム及び／若しくはジルコニウム、又はこれらの元素の少なくとも２種を含んでいる請求項１１に記載の装置。
【請求項１３】
前記装置（２）、特に該装置（２）の前記イリジウム含有区画（２０）が、約１７００℃よりも高く、好ましくは約２０００℃よりも高く、特に好ましくは約２２００℃よりも高い熱安定性を有する少なくとも１つの区画を有している請求項１１又は１２に記載の装置。
【請求項１４】
前記イリジウム含有区画（２０）のうちの少なくとも溶融物接触表面（１４ａ）を有していない領域が、少なくとも１つの封止体（１０）を有している請求項１１〜１３のいずれか一項に記載の装置。
【請求項１５】
前記封止体（１０）が、金属及び／又はシリカガラス及び／又は非導電性気密耐火性物質からなる少なくとも１つのハウジングを備えており、好ましくは前記イリジウム含有区画（２０）の前記溶融物とは反対側（１４ｂ）に配置されている請求項１４に記載の装置。
【請求項１６】
前記装置（２）及び／又は前記供給路（３ａ）及び／又は前記排出路（３ｂ）が、好ましくはそれぞれ単一部品として設計されている請求項１１〜１５のいずれか一項に記載の装置。
【請求項１７】
前記装置（２）及び／又は前記供給路（３ａ）及び／又は前記排出路（３ｂ）が、好ましくはそれぞれ、複数のモジュール化部品からなるものとして設計され、設けられている請求項１１〜１５のいずれか一項に記載の装置。
【請求項１８】
前記装置の別々の区画が嵌入式連結部によって互いに連結されている請求項１７に記載の装置。
【請求項１９】
前記嵌入式連結部が、少なくとも１つのセラミックシール及び／又はガラス質シール及び／又はガラス化ガラス溶融物（２３）を含んでいる請求項１８に記載の装置。
【請求項２０】
前記嵌入式連結部が少なくとも局所的に冷却可能に設計されている請求項１８又は１９に記載の装置。
【請求項２１】
前記装置（２）の底面（１９）が、特に隆起を有して実質的に非平面状に設計されている請求項１１〜２０のいずれか一項に記載の装置。
【請求項２２】
前記隆起が実質的に三角形及び／又は半円形の断面を有している請求項２１に記載の装置。
【請求項２３】
前記底面（１９）の少なくとも小領域、及び／又は前記蓋（１７）の少なくとも小領域、及び／又は前記側壁（１８）の少なくとも小領域が、前記イリジウム含有区画（２０）によって形成されているか、前記底面（１９）及び／又は前記蓋（１７）及び／又は前記側壁（１８）が前記イリジウム含有区画（２０）によって形成されているか、あるいは前記装置（２）が前記イリジウム含有区画（２０）によってその全体を形成されている請求項１１〜２２のいずれか一項に記載の装置。
【請求項２４】
前記装置（２）の前記溶融物（１）と接触しない区画、好ましくは前記蓋（７）が少なくとも１つの耐火性材料、好ましくはセラミック又は金属をその材料として有している請求項１１〜２３のいずれか一項に記載の装置。
【請求項２５】
前記耐火性材料が、耐火性ブロック、耐火性セラミック、冷却非耐火性材料及び／又は金属を含んでいる請求項１１〜２４のいずれか一項に記載の装置。
【請求項２６】
特に冷却可能な少なくとも１つの流れ影響具（５）が前記装置内に配置されている請求項１１〜２５のいずれか一項に記載の装置。
【請求項２７】
特に加熱可能な少なくとも１つの流れ影響具（５）が前記清澄装置内に配置されている請求項１１〜２６のいずれか一項に記載の装置。
【請求項２８】
清澄装置の溶融物接触表面（１４ａ）用の水素拡散抑制効果を有する気泡防止層の構成成分としてのイリジウムの使用方法。
【請求項２９】
請求項１〜１０のいずれか一項に記載の方法によって、且つ／又は請求項１１〜２８のいずれか一項に記載の装置を用いて製造可能なガラス、好ましくは光学ガラス。
【請求項３０】
前記ガラスが、約２５μｍ未満、好ましくは約１０μｍ未満、特に好ましくは約５μｍ未満の気泡直径を有する気泡を含有している請求項２９に記載のガラス。
【請求項３１】
前記ガラスが、約０．３重量％未満、好ましくは約０．０３重量％未満、特に好ましくは約０．００５重量％未満のヒ素含有量を有しており、且つ／又は約０．１重量％未満、好ましくは約０．０１重量％未満、特に好ましくは約０．００５重量％未満の鉛含有量を有しており、且つ／又は約０．５重量％未満、好ましくは約０．１重量％未満、特に好ましくは約０．０２５重量％未満のアンチモン含有量を有しており、且つ／又は約５０ｐｐｍ未満、好ましくは約２０ｐｐｍ未満、特に好ましくは約１０ｐｐｍ未満の白金含有量を有しており、且つ／又は約１ｐｐｍ〜約５００ｐｐｍ、好ましくは約１ｐｐｍ〜約１００ｐｐｍ、特に好ましくは約２ｐｐｍ未満〜約２０ｐｐｍのイリジウム含有量を有している請求項２９又は３０に記載のガラス。
【請求項３２】
前記ガラスが、５０％の純透過率ｏｉに関して、主として白金からなる装置において清澄される実質的に同じガラスに比べて、短波長側に５ｎｍ〜５０ｎｍ、好ましくは５ｎｍ〜２０ｎｍ、特に好ましくは８ｎｍ〜１５ｎｍのシフトを有している請求項２９〜３１のいずれか一項に記載のガラス。